(57)【要約】      （修正有）【課題】通常の拭き清掃と、拭材による拭き清掃のみでは処理し切れない汚れやこびり付き等についての清掃を、清掃器具を交換する必要なく１つのモップにより効率的に実施することができるモップ用副掃除材及びモップを提供する。【解決手段】拭材１０と、その拭材１０の拭材被保持部１０ａを保持するための保持部２０と、その保持部２０を支持する柄部３０と、副清掃材４０を備える。拭材１０の拭部１０ｃは、保持部２０により保持された拭材被保持部１０ａが上側に位置する状態において、一方の側部が内方に撓み他方の側部が外方に撓む向きと、その逆の向きに、少なくとも撓み得る。副清掃材４０の清掃機能部４０ｃは、拭材１０とは別の清掃機能であって清掃対象に対する摺動により働き得るものを有する可撓性シート状をなし、拭材１０の少なくとも一方の側部の表面に対し平行状に、且つ、拭材１０のうち拭材被保持部１０ａ側の位置に添設されている。【選択図】図２
0003179983.tif 000002
【実用新案登録請求の範囲】
【請求項１】
清掃対象を拭くための拭部と拭材被保持部を有する拭材と、前記拭材被保持部を保持するための保持部と、その保持部を支持する柄部を備えてなり、
前記拭材の拭材被保持部が上側に位置する状態において、前記拭部は、その一方の側部が内方に撓み、その側部に対し逆側に位置する他方の側部が外方に撓む向きと、前記一方の側部が外方に撓み前記他方の側部が内方に撓む向きに、少なくとも撓み得るものであるモップにおいて用いるための副清掃材であって、
前記拭材の拭部とは別の清掃機能であって清掃対象に対する摺動により働き得るものを備えた可撓性シート状の清掃機能部を有し、
その清掃機能部を、前記拭部の少なくとも前記一方の側部の表面に対し平行状に、且つ、前記拭材のうち拭材被保持部側の位置に添設して用いるためのモップ用副清掃材。
【請求項２】
拭材の拭材被保持部と共に保持部により保持され得る副清掃材被保持部を有する請求項１記載のモップ用副清掃材。
【請求項３】
副清掃材被保持部を挟む両側にそれぞれ清掃機能部を有し、拭材の拭材被保持部と共に副清掃材被保持部が保持部により保持された状態において、一方の清掃機能部を、前記拭材の拭部の一方の側部の表面に対し平行状に、且つ、前記拭材のうち拭材被保持部側の位置に添設し、他方の清掃機能部を、前記拭材の拭部の他方の側部の表面に対し平行状に、且つ、前記拭材のうち拭材被保持部側の位置に添設して用いるための請求項２記載のモップ用副清掃材。
【請求項４】
清掃対象を拭くための拭部と拭材被保持部を有する拭材と、前記拭材被保持部を保持するための保持部と、その保持部を支持する柄部と、副清掃材を備えてなるモップであって、
前記拭材の拭材被保持部が上側に位置する状態において、前記拭部は、その一方の側部が内方に撓み、その側部に対し逆側に位置する他方の側部が外方に撓む向きと、前記一方の側部が外方に撓み前記他方の側部が内方に撓む向きに、少なくとも撓み得るものであり、
前記副清掃材は、
前記拭材の拭部とは別の清掃機能であって清掃対象に対する摺動により働き得るものを備えた可撓性シート状の清掃機能部を有し、
その清掃機能部が、前記拭部の少なくとも前記一方の側部の表面に対し平行状に、且つ、前記拭材のうち拭材被保持部側の位置に添設されているものであることを特徴とするモップ。
【請求項５】
上記拭材の拭部が、束状の可撓性条体からなるものである請求項３記載のモップ。
【考案の詳細な説明】
【技術分野】
【０００１】
本考案は、束状の紐状体からなる拭部を有する拭材等の拭材を保持したモップ用の副清掃材及び束状の紐状体からなる拭部を有する拭材等の拭材と副清掃材の双方を保持したモップに関する。
【背景技術】
【０００２】
束状の糸状体又は紐状体からなる拭部を有する拭材を柄の先端部に保持したモップを用いて床面の水拭き清掃を行う場合、床面にこびり付いた汚れのように拭材による拭き清掃では処理し切れない汚れ等については、モップによる拭き清掃を中断して別の清掃器具に交換してこびり付きやその他の汚れ等を処理し、その後、更にモップに交換して床面の拭き清掃を続ける必要があり、清掃作業の効率を低下させる要因となっていた。
【０００３】
例えば特開平８−１８７２１３号公報や特開平１１−９５３６号公報には、モップ用拭材を容易に交換し得るモップの構成が開示されているが、これらは、通常の拭き清掃と、拭材による拭き清掃のみでは処理し切れない汚れやこびり付き等についての清掃の両者を効率的に行ない得るものとは必ずしも言い得ない。
【０００４】
また特許第３７１３２２８号公報には、シート状基部の底部の少なくとも主要部に、カットパイルを満遍なく有する拭掃除用の底部カットパイル部を備え、太繊維からなるカットパイルにより構成された太繊維カットパイル部をシート状基部の底部に部分的に有する水拭き用清掃布が開示されている。
【０００５】
この水拭き用清掃布によれば、清掃対象面におけるこびりついた汚れ、油分、塵埃等をきわめて効率的に拭き取ることができると共に、床面と壁面との隅角部等の清掃を効果的に行ない得る。
【０００６】
しかしながら、床面にこびり付いた汚れが酷いものである場合等、この水拭き用清掃布では処理し切れない場合があり得る。
【先行技術文献】
【特許文献】
【０００７】
【特許文献１】特開平８−１８７２１３号公報
【特許文献２】特開平１１−９５３６号公報
【特許文献３】特許第３７１３２２８号公報
【考案の概要】
【考案が解決しようとする課題】
【０００８】
本考案の目的は、通常の拭き清掃と、拭材による拭き清掃のみでは処理し切れない汚れやこびり付き等についての清掃を、清掃器具を交換する必要なく、１つのモップにより、効率的に実施することができるモップ用副清掃材及びモップを提供することにある。
【課題を解決するための手段】
【０００９】
本考案のモップ用副清掃材は、
清掃対象を拭くための拭部と拭材被保持部を有する拭材と、前記拭材被保持部を保持するための保持部と、その保持部を支持する柄部を備えてなり、
前記拭材の拭材被保持部が上側に位置する状態において、前記拭部は、その一方の側部が内方に撓み、その側部に対し逆側に位置する他方の側部が外方に撓む向きと、前記一方の側部が外方に撓み前記他方の側部が内方に撓む向きに、少なくとも撓み得るものであるモップにおいて用いるための副清掃材であって、
可撓性シート状をなし、清掃対象に対する摺動により働き得る、前記拭材の拭部とは別の清掃機能を備えた清掃機能部を有し、
その清掃機能部を、前記拭部の少なくとも前記一方の側部の表面に対し平行状に、且つ、前記拭材のうち拭材被保持部側の位置に添設して用いるためのものである。
【００１０】
また本考案のモップは、
清掃対象を拭くための拭部と拭材被保持部を有する拭材と、前記拭材被保持部を保持するための保持部と、その保持部を支持する柄部と、副清掃材を備えてなるモップであって、
前記拭材の拭材被保持部が上側に位置する状態において、前記拭部は、その一方の側部が内方に撓み、その側部に対し逆側に位置する他方の側部が外方に撓む向きと、前記一方の側部が外方に撓み前記他方の側部が内方に撓む向きに、少なくとも撓み得るものであり、
前記副清掃材は、
可撓性シート状をなし、清掃対象に対する摺動により働き得る、前記拭材の拭部とは別の清掃機能を備えた清掃機能部を有し、
その清掃機能部が、前記拭部の少なくとも前記一方の側部の表面に対し平行状に、且つ、前記拭材のうち拭材被保持部側の位置に添設されているものであることを特徴とする。
【００１１】
本考案のモップ用副清掃材を用いた本考案のモップは次のように使用することができる。通常の拭き清掃においては、例えば拭材のうち端部側（すなわち拭材被保持部である基部側とは逆の側）等の、拭材のうち副清掃材が位置しない部分を中心として用いることにより、ほぼ拭材のみが清掃対象に接するようにモップを使用する。
【００１２】
拭材による拭き清掃のみでは処理し切れず、拭材の拭部とは別の清掃機能であって副清掃材の清掃機能部が有するものにより処理可能な汚れやこびり付き等については、用いる副清掃材の清掃機能部が位置する側とは逆側に拭部を大きく撓ませたり、用いる副清掃材の清掃機能部が位置する側に柄を傾斜させたりすることにより、副清掃材の清掃機能部を清掃対象に対し摺動させる。これにより、拭材による拭き清掃のみでは処理し切れない汚れやこびり付き等についての清掃を行うことができる。
【００１３】
従って、通常の拭き清掃と、拭材による拭き清掃のみでは処理し切れない汚れやこびり付き等についての清掃を、清掃器具を交換する必要なく、１つのモップにより、効率的に実施することができる。
【００１４】
また、拭材の拭部は、保持部により保持される拭材被保持部が上側に位置する状態において、一方の側部が内方に撓む向きと、その側部に対し逆側に位置する他方の側部が内方に撓む向きに撓み得、副清掃材の清掃機能部は、可撓性シート状をなし、拭材の拭部の少なくとも一方の側部の表面に対し平行状に添設して用いるものであるから、清掃作業の途中又は作業後に、拭材と副清掃材を共に洗浄し、必要に応じ挟圧絞りローラ間で両者を共に挟圧して両者について同時に搾水することができる。
【００１５】
上記本考案におけるモップ用副清掃材は、拭材の拭材被保持部と共に保持部により保持され得る副清掃材被保持部を有するものであることが望ましい。
【００１６】
また、上記本考案におけるモップ用副清掃材は、副清掃材被保持部を挟む両側にそれぞれ清掃機能部を有し、拭材の拭材被保持部と共に副清掃材被保持部が保持部により保持された状態において、一方の清掃機能部を、前記拭材の拭部の一方の側部の表面に対し平行状に、且つ、前記拭材のうち拭材被保持部側の位置に添設し、他方の清掃機能部を、前記拭材の拭部の他方の側部の表面に対し平行状に、且つ、前記拭材のうち拭材被保持部側の位置に添設して用いるためのものとすることができる。
【００１７】
また本考案のモップは、上記拭材の拭部が、束状の可撓性条体からなるものとすることができる。
【考案の効果】
【００１８】
本考案のモップ用副清掃材及びモップによれば、通常の拭き清掃と、拭材による拭き清掃のみでは処理し切れない汚れやこびり付き等についての清掃を、清掃器具を交換する必要なく、１つのモップにより、効率的に実施することができる。また、清掃作業の途中又は作業後に拭材と副清掃材を共に洗浄し、必要に応じ挟圧絞りローラ間で両者を共に挟圧して両者について同時に搾水することができる。
【図面の簡単な説明】
【００１９】
【図１】モップの正面図である。
【図２】モップの正面分解図である。
【図３】モップ用副清掃材の断面図である。
【図４】拭材と副清掃材を保持部により保持しようとする状態を示す断面図である。
【図５】拭材と別の副清掃材を保持部により保持しようとする状態を示す断面図である。
【考案を実施するための形態】
【００２０】
本考案の実施の形態を、図面を参照しつつ説明する。図面は何れも本考案のモップ用副清掃材及びモップの実施の形態の一例についてのものであって、図１はモップの正面図、図２はモップの分解正面図、図３はモップ用副清掃材の断面図、図４は拭材と副清掃材を保持部により保持しようとする状態を示す断面図である。
【００２１】
モップＡは、清掃対象を拭くための拭材１０と、その拭材１０の一部である拭材被保持部１０ａを保持するための保持部２０と、その保持部２０を支持する柄部３０と、副清掃材４０を備えてなる。
【００２２】
柄部３０の先端部（図における下端部）には、それぞれ内向き（図の平面に対し垂直方向）の挟持爪２０ａを備えた、図の平面に対し垂直方向に開閉可能な一対の挟持片２０ｂが弾性的に挟圧付勢されてなる保持部２０を有する。
【００２３】
拭材１０は、合成樹脂製の細長形状の拭材被保持部１０ａの短手方向両側に、それぞれ束状の糸状体からなる拭部１０ｃを有してなる。拭材被保持部１０ａは、挟持爪２０ａが嵌合する爪嵌合穴１０ｂを両側に有し、保持部２０の一対の挟持片２０ｂにより、各挟持爪２０ａが各爪嵌合穴１０ｂに嵌合した状態で挟圧保持される。可撓性条体の例としては、糸状体、紐状体等を挙げることができる。
【００２４】
このような構成の拭材１０は、保持部２０により保持された拭材被保持部１０ａが上側に位置する状態において、拭部１０ｃの一方の側部（図における正面側の側部）が内方（図における背面側）に撓み、その側部に対し逆側に位置する他方の側部（図における背面側の側部）が外方（図における背面側）に撓む向きと、前記一方の側部が外方（図における正面側）に撓み前記他方の側部が内方（図における正面側の側部）に撓む向きに、少なくとも撓み得る。なお、拭材は、この他に何れの向きにどのように撓むものであってもよい。
【００２５】
副清掃材４０は、拭材１０の拭部１０ｃとは別の清掃機能であって清掃対象に対する摺動により働き得るものを備えた可撓性シート状の清掃機能部４０ｃを有する。清掃機能部４０ｃは、ナイロン等の合成単繊維糸の不織布に研磨剤としてシリカを含有させた可撓性方形シート状をなす。可撓性シート状をなす清掃機能部４０ｃの平面形状は、方形に限らず、例えば各種多角形、楕円形、円形等とすることもできる。副清掃材４０の清掃機能部４０ｃに含有させることができる研磨剤はシリカに限らない。研磨剤は、例えばバインダー液に分散させた塗布液を清掃機能部４０ｃに塗布してバインダーの固化により接着させることにより、清掃機能部４０ｃに含有させることができるが、このような方法により研磨剤を含有させたものに限らない。清掃対象に対する摺動により働き得る清掃機能を有する可撓性シート状をなす清掃機能部４０ｃの例としては、合成繊維等による不織布、織布、編み物等、メラミンフォームシート等の清掃機能を有する合成樹脂シート、金属繊維や金属リボンによる不織布若しくは絡合体等を挙げることができる。清掃機能部４０ｃが有する、拭材１０の拭部１０ｃとは別の清掃機能であって清掃対象に対する摺動により働き得るものとしては、清掃対象にこびり付いたり拭材１０では拭き取りにくい汚れやチューインガム等の付着物の除去を例示することができるが、これに限るものではない。
【００２６】
副清掃材４０の一辺に、保持部２０の挟持爪２０ａが挿通し得る挿通孔４０ｂを有するシート状の副清掃材被保持部４０ａが形成されており、拭材１０における拭材被保持部１０ａと共に保持部２０により保持され得る。副清掃材被保持部４０ａは、清掃機能を有することを要しない。従って、副清掃材被保持部４０ａは、清掃機能部４０ｃとは別の材料（例えば合成樹脂シート、織布、不織布等）からなるものであってもよく、同じものであってもよい。なお、副清掃材被保持部４０ａを設ける位置は、必ずしも副清掃材４０の一辺に限るものではない。
【００２７】
本例では、副清掃材４０と拭材１０をそれぞれ保持部２０に対し着脱可能としているが、拭材１０が保持部２０に固定保持され副清掃材４０が保持部２０又は拭材１０に着脱可能とすること、拭材１０と副清掃材４０が固着され、保持部２０に対し着脱可能とすること、拭材１０と副清掃材４０が保持部２０に固定保持されたものとすること等も可能である。拭材１０に対し副清掃材４０を着脱可能とする手段としては、ファスナ、面ファスナ、スナップ等を適宜用いることができる。
【００２８】
副清掃材４０の清掃機能部４０ｃを、拭材１０の拭部１０ｃの一方の側部の表面に対し平行状に、且つ、拭材１０のうち拭材被保持部１０ａ側の位置に添設した場合における清掃機能部４０ｃの縦長さ（図１における上下方向長さ。）は、拭部１０ｃの縦長さの例えば３分の２以下とすることができる。好ましくは半分以下、より好ましくは５分の２程度以下である。また、その場合の清掃機能部４０ｃの横幅（図１における横方向幅）は、拭部１０ｃの横幅と同等とすること、３分の２程度以下、又は２分の１程度以下、４分の１程度又は３分の１程度以上とすることができる。副清掃材４０の清掃機能部４０ｃを拭部１０ｃの一方の側部の表面に対し平行状に添設することにより、拭部１０ｃの一方の側部が内方に撓み他方の側部が外方に撓む向きに撓んだ状態において清掃機能部４０ｃが拭部１０ｃと同じ向きに撓んだ状態で副清掃材４０を使用し得、拭部１０ｃが逆向きに撓んだ状態で清掃機能部４０ｃが同じく逆向きに撓んで副清掃材４０を使用しない状態とすることができるようにする。
【００２９】
通常の拭き清掃においては、例えば拭材１０のうち端部側（すなわち拭材被保持部１０ａが位置する基部側とは逆の側）等の、拭材１０のうち副清掃材４０が位置しないを部分を中心として用いることにより、ほぼ拭材１０のみが清掃対象に接するようにモップＡを使用する。
【００３０】
拭材１０による拭き清掃のみでは処理し切れず、拭材１０の拭部１０ｃとは別の清掃機能であって副清掃材４０の清掃機能部４０ｃが有するものにより処理可能な汚れやこびり付き等については、用いる副清掃材４０の清掃機能部４０ｃが位置する側とは逆側に拭材１０の拭部１０ｃを大きく撓ませたり、用いる副清掃材４０の清掃機能部４０ｃが位置する側に柄を傾斜させたりすることにより、副清掃材４０の清掃機能部４０ｃを清掃対象に対し摺動させる。これにより、拭材１０の拭部１０ｃによる拭き清掃のみでは処理し切れない汚れやこびり付き等についての清掃を行うことができる。
【００３１】
従って、通常の拭き清掃と、拭材１０の拭部１０ｃによる拭き清掃のみでは処理し切れない汚れやこびり付き等についての清掃を、清掃器具を交換する必要なく、１つのモップＡにより、効率的に実施することができる。
【００３２】
また、拭材１０の拭部１０ｃは、保持部２０により保持された拭材被保持部１０ａが上側に位置する状態において、一方の側部が内方に撓む向きと、その側部に対し逆側に位置する他方の側部が内方に撓む向きに撓み得、副清掃材４０の清掃機能部４０ｃは、可撓性シート状をなし、拭材１０の拭部１０ｃの少なくとも一方の側部の表面に対し平行状に添設して用いるものであるから、清掃作業中又は作業後に拭材１０と副清掃材４０を共に洗浄し、必要に応じ挟圧絞りローラ間で両者を共に挟圧して両者について同時に搾水することができる。
【００３３】
図５は、拭材１０と別の副清掃材５０を保持部により保持しようとする状態を示す断面図である。
【００３４】
副清掃材５０は、可撓性方形シート状の副清掃材被保持部５０ａを挟む両側に、それぞれ清掃機能部５０ｃを有する。各清掃機能部５０ｃは、拭材１０の拭部１０ｃとは別の清掃機能であって清掃対象に対する摺動により働き得るものを備えた可撓性シート状をなす。清掃機能部５０ｃは、ナイロン等の合成単繊維糸の不織布に研磨剤としてシリカを含有させた可撓性方形シート状をなす。
【００３５】
副清掃材５０は、図５に示すように副清掃材被保持部５０ａにおいて屈曲する略逆Ｕ字状にして拭材被保持部１０ａを内側に挟むようにすることにより、拭材被保持部１０ａと共に保持部２０により保持され得る。その場合に保持部２０の挟持爪２０ａが挿通し得る挿通孔を、副清掃材被保持部５０ａのうち拭材被保持部１０ａの一方の側に対応する部分と他方の側に対応する部分にそれぞれ有する。
【００３６】
このようにして拭材１０と共に保持部２０により保持された副清掃材５０の一方の清掃機能部５０ｃは、拭材１０の拭部１０ｃの一方の側部の表面に対し平行状に、且つ、拭材１０のうち拭材被保持部１０ａ側の位置に添設され、他方の清掃機能部５０ｃは、拭材１０の拭部１０ｃの他方の側部の表面に対し平行状に、且つ、拭材１０のうち拭材被保持部１０ａ側の位置に添設された状態となる。
【符号の説明】
【００３７】
１０    拭材
１０ａ  拭材被保持部
１０ｂ  爪嵌合穴
１０ｃ  拭部
２０    保持部
２０ａ  挟持爪
２０ｂ  挟持片
３０    柄部
４０    副清掃材
４０ａ  副清掃材被保持部
４０ｂ  挿通孔
４０ｃ  清掃機能部
５０    副清掃材
５０ａ  副清掃材被保持部
５０ｃ  清掃機能部
Ａ      モップ
【図１】
0003179983.tif 000003
【図２】
0003179983.tif 000004
【図３】
0003179983.tif 000005
【図４】
0003179983.tif 000006
【図５】
0003179983.tif 000007
【手続補正書】
【提出日】平成24年9月21日(2012.9.21)
【手続補正１】
【補正対象書類名】実用新案登録請求の範囲
【補正対象項目名】請求項５
【補正方法】変更
【補正の内容】
【請求項５】
上記拭材の拭部が、束状の可撓性条体からなるものである請求項４記載のモップ。